【手続補正書】
【提出日】平成16年4月16日(2004.4.16)
【手続補正１】
【補正対象書類名】明細書
【補正対象項目名】発明の名称
【補正方法】変更
【補正の内容】
【発明の名称】電子商取引与信処理方法及び電子商取引システム並びに装置
【手続補正２】
【補正対象書類名】明細書
【補正対象項目名】特許請求の範囲
【補正方法】変更
【補正の内容】
【特許請求の範囲】
【請求項１】
商品の購買者が使用する購買者端末装置と商品の販売者が管理する販売者装置と与信機関が管理する与信処理装置とを備え、販売者装置が購買者端末装置に提示する商品に対する購買者端末装置からの商品購入要求に対し、前記与信処理装置において購買者の与信処理を行い、取引可能な要件を満たす場合に購買者端末装置と販売者装置との商取引を成立させる電子商取引システムにおける与信処理方法であって、
前記購買者端末装置において購買者によって選択された商品の支払対価情報と購買者によって入力され個人情報とを購買者によって選択された与信機関の与信処理装置に対して送信する第１のステップと、
前記与信処理装置において前記購買者端末装置から受信した商品の支払対価情報と前記個人情報に基づいて与信処理を行い、その与信処理結果を購買者によって選択された販売者装置に送信する第２のステップと
を備えることを特徴とする電子商取引システムにおける与信処理方法。
【請求項２】
前記第１のステップにおいて、購買者による選択対象となる与信機関の情報は販売者装置から購買者端末装置に提示されるものであることを特徴とする請求項１に記載の電子商取引システムにおける与信処理方法。
【請求項３】
前記第１のステップにおいて、前記購買者端末装置は購買者購買者によって選択された商品の支払対価情報と共に販売者装置を特定する販売者識別情報を販売者装置から受信し、該販売者識別情報と商品の支払対価情報を購買者によって選択された与信機関の与信処理装置に送信した後、購買者が入力した個人情報を当該与信処理装置に送信し、
前記第２のステップにおいて、前記与信処理装置は購買者端末装置から受信した前記販売者識別情報で特定される販売者装置に対して与信処理結果を送信することを特徴とする請求項１または２に記載の電子商取引システムにおける与信処理方法。
【請求項４】
前記第２のステップにおいて、与信処理結果に基づき与信処理結果を受信した販売者装置から購買者端末装置に対して取引成立通知または取引不成立通知を送信することを特徴とする請求項１〜３のいずれか一項に記載の電子商取引システムにおける与信処理方法。
【請求項５】
前記第１のステップにおいて、購買者によって選択された与信機関の与信処理装置に対し、購買者によって選択された与信種別の情報を付加して送信することを特徴とする請求項１〜４のいずれか一項に記載の電子商取引システムにおける与信処理方法。
【請求項６】
前記個人情報は、購買者の決済口座番号またはクレジットカード番号等の個人情報であることを特徴とする請求項１〜５のいずれか一項に記載の電子商取引システムにおける与信処理方法。
【請求項７】
前記第１のステップにおいて、購買者によって選択された商品の支払対価情報および販売者装置を特定する販売者識別情報と購買者によって選択された与信機関の与信処理装置と通信を行うための与信通信プログラムとから成るオブジェクトを販売者装置で作成して購買者端末装置に送信し、そのオブジェクトを受信した購買者装置が該オブジェクト中の商品の支払対価情報および販売者識別情報を抽出して前記与信通信プログラムによって購買者によって選択された与信機関の与信処理装置に送信することを特徴とする請求項３に記載の電子商取引システムにおける与信処理方法。
【請求項８】
前記オブジェクト中に取引単位の取引識別情報を含めて作成して購買者端末装置に送信すると共に、該オブジェクトを販売者装置の記憶装置に記憶し、前記第２のステップにおいて前記与信処理装置から取引識別情報が付加された与信処理結果を受信した際に、該取引識別情報に対応する取引内容を前記記憶装置から検索し、取引内容を付加して与信処理結果を販売者端末装置に送信することを特徴とする請求項７に記載の電子商取引システムにおける与信処理方法。
【請求項９】
商品の購買者が使用する購買者端末装置と商品の販売者が管理する販売者装置と与信機関が管理する与信処理装置とを備え、販売者装置が購買者端末装置に提示する商品に対する購買者端末装置からの商品購入要求に対し、前記与信処理装置において購買者の与信処理を行い、取引可能な要件を満たす場合に購買者端末装置と販売者装置との商取引を成立させる電子商取引システムであって、
前記購買者装置が、
前記販売者装置から提示された購入希望の商品情報および与信希望の与信機関の選択入力を受付ける第１の手段と、購買者によって選択された商品の支払対価情報と購買者によって入力された個人情報とを購買者によって選択された与信機関の与信処理装置に対して送信する第２の手段とを備え、
前記販売者装置が、
購買者端末装置からの要求に応じて商品情報および与信機関の情報を送信すると共に、購買者によって選択された商品の支払対価情報を送信する第３の手段を備え、
前記与信処理装置が、
前記購買者端末装置から受信した前記商品の支払対価情報と個人情報に基づいて購買者の与信処理を行い、その与信処理結果を購買者によって選択された販売者装置に送信する第４の手段を備えることを特徴とする電子商取引システム。
【請求項１０】
商品の購買者が使用する購買者端末装置と商品の販売者が管理する販売者装置と与信機関が管理する与信処理装置とを備え、販売者装置が購買者端末装置に提示する商品に対する購買者端末装置からの商品購入要求に対し、前記与信処理装置において購買者の与信処理を行い、取引可能な要件を満たす場合に購買者端末装置と販売者装置との商取引を成立させる電子商取引システムであって、
前記購買者装置が、
前記販売者装置から提示された購入希望の商品情報および与信希望の与信機関の選択入力を受付ける第１の手段と、購買者によって選択された商品の支払対価情報と購買者によって入力された個人情報並びに販売者装置から受信した販売者識別情報とを購買者によって選択された与信機関の与信処理装置に対して送信する第２の手段とを備え、
前記販売者装置が、
購買者端末装置からの要求に応じて商品情報および与信機関の情報を送信すると共に、購買者によって選択された商品の支払対価情報および販売者識別情報を送信する第３の手段を備え、
前記与信処理装置が、
前記購買者端末装置から受信した前記商品の支払対価情報と個人情報並びに販売者識別情報のうち前記商品の支払対価情報と個人情報に基づいて購買者の与信処理を行い、その与信処理結果を前記販売者識別情報で特定される販売者装置に送信する第４の手段を備えることを特徴とする電子商取引システム。
【請求項１１】
前記第３の手段が、購買者によって選択された商品の支払対価情報および販売者装置を特定する販売者識別情報に加え、購買者によって選択された与信機関と通信を行うための与信通信プログラムとから成るオブジェクトを作成し、購買者装置に返信する手段を備え、
前記購買者装置の第２の手段が、前記オブジェクト中の商品の支払対価情報および販売者識別情報を抽出して前記与信通信プログラムによって購買者によって選択された与信機関の与信処理装置に送信する手段を備えることを特徴とする請求項１０に記載の電子商取引システム。
【請求項１２】
前記第３の手段が与信種別の情報を含めて購買者端末装置に返信し、購買者端末装置の前記第１の手段が購買者により選択された与信種別の情報を付加して与信機関の与信処理装置に送信することを特徴とする請求項９〜１１のいずれか一項に記載の電子商取引システム。
【請求項１３】
前記販売者装置が、前記与信処理装置からの与信結果に応じて購買者端末装置に対して取引成立通知または取引不成立通知を送信する手段を備えることを特徴とする請求項９〜１２のいずれか一項に記載の電子商取引システム。
【請求項１４】
販売者装置から提示される商品を選択して販売者装置との間で商取引を行うための購買者端末装置であって、
前記販売者装置から提示された購入希望の商品情報および与信希望の与信機関の選択入力を受付ける第１の手段と、
購買者によって選択された商品の支払対価情報と購買者によって入力された個人情報とを購買者によって選択された与信機関の与信処理装置に対して送信する第２の手段と
を備えることを特徴とする購買者端末装置。
【請求項１５】
販売者装置から提示される商品を選択して販売者装置との間で商取引を行うための購買者端末装置であって、
前記販売者装置から提示された商品情報および与信希望の与信機関の選択入力を受付ける第１の手段と、
購買者によって選択された商品の支払対価情報と購買者によって入力された個人情報並びに販売者装置から受信した販売者識別情報とを購買者によって選択された与信機関の与信処理装置に対して送信する第２の手段と
を備えることを特徴とする購買者端末装置。
【請求項１６】
販売者装置から提示される商品を選択して販売者装置との間で商取引を行うための購買者端末装置であって、
前記販売者装置から提示された商品情報および与信希望の与信機関の選択入力を受付ける第１の手段と、
購買者によって選択された商品の支払対価情報、販売者を特定する販売者識別情報および購買者が選択した与信機関との間で通信を行うための与信通信プログラムからなるオブジェクトを前記販売者装置から受信し、前記オブジェクト中の商品の支払対価情報および販売者識別情報を抽出して前記与信通信プログラムによって購買者によって選択された与信機関の与信処理装置に送信する第２の手段と、
購買者によって入力された個人情報を購買者によって選択された与信機関の与信処理装置に送信する第３の手段と、
を備えることを特徴とする購買者端末装置。
【請求項１７】
販売者装置から提示される商品を選択して販売者装置との間で商取引を行うための購買者端末装置であって、
前記販売者装置から提示された商品情報および与信希望の与信機関の選択入力を受付ける第１の手段と、
購買者によって選択された商品の支払対価情報、販売者を特定する販売者識別情報および購買者によって選択された与信機関との間で通信を行うための与信通信プログラムからなるオブジェクトを前記販売者装置から受信し、前記オブジェクト中の商品の支払対価情報および販売者識別情報を抽出して購買者によって選択された与信機関の与信処理装置に前記与信通信プログラムによって送信する第２の手段と、
購買者が入力した個人情報を購買者が選択した与信機関の与信処理装置に送信する第３の手段と、
前記与信機関の与信処理結果を受けた販売者端末装置から取引成立通知または不成立通知を受信し、購買者に提示する第４の手段と
を備えることを特徴とする購買者端末装置。
【請求項１８】
購買者端末装置からの要求に応じて商品情報を送信し、購買者端末装置との間で商取引を行うための販売者装置であって、
購買者端末装置からの要求に応じて、商品情報および与信機関の情報を送信する第１の手段を備えることを特徴とする販売者装置。
【請求項１９】
購買者端末装置からの要求に応じて商品情報を送信し、購買者端末装置との間で商取引を行うための販売者装置であって、
購買者端末装置からの要求に応じて、商品情報および与信機関の情報並びに販売者識別情報を送信する第１の手段を備えることを特徴とする販売者装置。
【請求項２０】
購買者端末装置からの要求に応じて商品情報を送信し、購買者端末装置との間で商取引を行うための販売者装置であって、
購買者端末装置からの要求に応じて、商品情報および与信機関の情報を送信する第１の手段と、
購買者によって選択された商品の支払対価情報、販売者装置を特定する販売者識別情報および購買者が選択した与信機関と通信を行うための与信通信プログラムとから成るオブジェクトを作成し、購買者装置に送信する第２の手段と
を備えることを特徴とする販売者装置。
【請求項２１】
購買者端末装置からの要求に応じて商品情報を送信し、購買者端末装置との間で商取引を行うための販売者装置であって、
購買者端末装置からの要求に応じて、商品情報および与信機関の情報を送信する第１の手段と、
購買者によって選択された商品の支払対価情報、販売者装置を特定する販売者識別情報および購買者によって選択された与信機関と通信を行うための与信通信プログラムとから成るオブジェクトを作成し、購買者装置に送信する第２の手段と、
前記購買者端末装置が前記オブジェクト中の商品の支払対価情報および販売者識別情報を前記与信通信プログラムによって前記与信処理装置に送信し、かつ購買者によって入力された個人情報を送信したことにより前記与信処理装置から送信される与信処理結果を受信し、その与信処理結果に応じて購買者端末装置に対して取引成立通知または取引不成立通知を送信する第３の手段と
を備えることを特徴とする販売者装置。
【請求項２２】
購買者端末装置と販売者装置との間で実施される商取引に係る購買者の与信処理を行う与信機関の与信処理装置であって、
前記購買者端末装置から購買者によって選択された商品の支払対価情報と購買者の個人情報を受信し、その受信情報に基づいて購買者の与信処理を行う第１の手段と、
与信処理結果を商品販売元の販売者装置に送信する第２の手段と
を備えることを特徴とする与信処理装置。
【請求項２３】
購買者端末装置と販売者装置との間で実施される商取引に係る購買者の与信処理を行う与信機関の与信処理装置であって、
前記購買者端末装置から購買者によって選択された商品の支払対価情報と購買者の個人情報並びに販売者装置を特定する販売者識別情報を受信し、受信した商品の支払対価情報と購買者の個人情報に基づいて購買者の与信処理を行う第１の手段と、
与信処理結果を前記販売者識別情報により特定される商品販売元の販売者装置に送信する第２の手段と
を備えることを特徴とする与信処理装置。
【手続補正３】
【補正対象書類名】明細書
【補正対象項目名】０００８
【補正方法】変更
【補正の内容】
【０００８】
【課題を解決するための手段】
上記目的を達成するために、本発明は、商品の購買者が使用する購買者端末装置と商品の販売者が管理する販売者装置と与信機関が管理する与信処理装置とを備え、販売者装置が購買者端末装置に提示する商品に対する購買者端末装置からの商品購入要求に対し、前記与信処理装置において購買者の与信処理を行い、取引可能な要件を満たす場合に購買者端末装置と販売者装置との商取引を成立させる電子商取引システムにおける与信処理方法であって、
前記購買者端末装置において購買者によって選択された商品の支払対価情報と購買者によって入力され個人情報とを購買者によって選択された与信機関の与信処理装置に対して送信する第１のステップと、前記与信処理装置において前記購買者端末装置から受信した商品の支払対価情報と前記個人情報に基づいて与信処理を行い、その与信処理結果を購買者によって選択された販売者装置に送信する第２のステップとを備えることを特徴とする。
また、前記第１のステップにおいて、購買者による選択対象となる与信機関の情報は販売者装置から購買者端末装置に提示されるものであることを特徴とする。
また、前記第１のステップにおいて、前記購買者端末装置は購買者購買者によって選択された商品の支払対価情報と共に販売者装置を特定する販売者識別情報を販売者装置から受信し、該販売者識別情報と商品の支払対価情報を購買者によって選択された与信機関の与信処理装置に送信した後、購買者が入力した個人情報を当該与信処理装置に送信し、前記第２のステップにおいて、前記与信処理装置は購買者端末装置から受信した前記販売者識別情報で特定される販売者装置に対して与信処理結果を送信することを特徴とする。
また、前記第２のステップにおいて、与信処理結果に基づき与信処理結果を受信した販売者装置から購買者端末装置に対して取引成立通知または取引不成立通知を送信することを特徴とする。
また、前記第１のステップにおいて、購買者によって選択された与信機関の与信処理装置に対し、購買者によって選択された与信種別の情報を付加して送信することを特徴とする。
また、前記個人情報は、購買者の決済口座番号またはクレジットカード番号等の個人情報であることを特徴とする。
【手続補正４】
【補正対象書類名】明細書
【補正対象項目名】０００９
【補正方法】変更
【補正の内容】
【０００９】
また、前記第１のステップにおいて、購買者によって選択された商品の支払対価情報および販売者装置を特定する販売者識別情報と購買者によって選択された与信機関の与信処理装置と通信を行うための与信通信プログラムとから成るオブジェクトを販売者装置で作成して購買者端末装置に送信し、そのオブジェクトを受信した購買者装置が該オブジェクト中の商品の支払対価情報および販売者識別情報を抽出して前記与信通信プログラムによって購買者によって選択された与信機関の与信処理装置に送信することを特徴とする。
また、前記オブジェクト中に取引単位の取引識別情報を含めて作成して購買者端末装置に送信すると共に、該オブジェクトを販売者装置の記憶装置に記憶し、前記第２のステップにおいて前記与信処理装置から取引識別情報が付加された与信処理結果を受信した際に、該取引識別情報に対応する取引内容を前記記憶装置から検索し、取引内容を付加して与信処理結果を販売者端末装置に送信することを特徴とする。
【手続補正５】
【補正対象書類名】明細書
【補正対象項目名】００１０
【補正方法】変更
【補正の内容】
【００１０】
また、購買者が使用する購買者端末装置と商品の販売者が管理する販売者装置と与信機関が管理する与信処理装置とを備え、販売者装置が購買者端末装置に提示する商品に対する購買者端末装置からの商品購入要求に対し、前記与信処理装置において購買者の与信処理を行い、取引可能な要件を満たす場合に購買者端末装置と販売者装置との商取引を成立させる電子商取引システムであって、
前記購買者装置が、
前記販売者装置から提示された購入希望の商品情報および与信希望の与信機関の選択入力を受付ける第１の手段と、購買者によって選択された商品の支払対価情報と購買者によって入力された個人情報とを購買者によって選択された与信機関の与信処理装置に対して送信する第２の手段とを備え、
前記販売者装置が、
購買者端末装置からの要求に応じて商品情報および与信機関の情報を送信すると共に、購買者によって選択された商品の支払対価情報を送信する第３の手段を備え、
前記与信処理装置が、
前記購買者端末装置から受信した前記商品の支払対価情報と個人情報に基づいて購買者の与信処理を行い、その与信処理結果を購買者によって選択された販売者装置に送信する第４の手段を備えることを特徴とする。
【手続補正６】
【補正対象書類名】明細書
【補正対象項目名】００１１
【補正方法】変更
【補正の内容】
【００１１】
また、商品の購買者が使用する購買者端末装置と商品の販売者が管理する販売者装置と与信機関が管理する与信処理装置とを備え、販売者装置が購買者端末装置に提示する商品に対する購買者端末装置からの商品購入要求に対し、前記与信処理装置において購買者の与信処理を行い、取引可能な要件を満たす場合に購買者端末装置と販売者装置との商取引を成立させる電子商取引システムであって、
前記購買者装置が、
前記販売者装置から提示された購入希望の商品情報および与信希望の与信機関の選択入力を受付ける第１の手段と、購買者によって選択された商品の支払対価情報と購買者によって入力された個人情報並びに販売者装置から受信した販売者識別情報とを購買者によって選択された与信機関の与信処理装置に対して送信する第２の手段とを備え、
前記販売者装置が、
購買者端末装置からの要求に応じて商品情報および与信機関の情報を送信すると共に、購買者によって選択された商品の支払対価情報および販売者識別情報を送信する第３の手段を備え、
前記与信処理装置が、
前記購買者端末装置から受信した前記商品の支払対価情報と個人情報並びに販売者識別情報のうち前記商品の支払対価情報と個人情報に基づいて購買者の与信処理を行い、その与信処理結果を前記販売者識別情報で特定される販売者装置に送信する第４の手段を備えることを特徴とする。
【手続補正７】
【補正対象書類名】明細書
【補正対象項目名】００１２
【補正方法】変更
【補正の内容】
【００１２】
また、前記第３の手段が、購買者によって選択された商品の支払対価情報および販売者装置を特定する販売者識別情報に加え、購買者によって選択された与信機関と通信を行うための与信通信プログラムとから成るオブジェクトを作成し、購買者装置に返信する手段を備え、
前記購買者装置の第２の手段が、前記オブジェクト中の商品の支払対価情報および販売者識別情報を抽出して前記与信通信プログラムによって購買者によって選択された与信機関の与信処理装置に送信する手段を備えることを特徴とする。
また、前記第３の手段が与信種別の情報を含めて購買者端末装置に返信し、購買者端末装置の前記第１の手段が購買者により選択された与信種別の情報を付加して与信機関の与信処理装置に送信することを特徴とする。
また、前記販売者装置が、前記与信処理装置からの与信結果に応じて購買者端末装置に対して取引成立通知または取引不成立通知を送信する手段を備えることを特徴とする。
【手続補正８】
【補正対象書類名】明細書
【補正対象項目名】００１３
【補正方法】変更
【補正の内容】
【００１３】
また、販売者装置から提示される商品を選択して販売者装置との間で商取引を行うための購買者端末装置であって、
前記販売者装置から提示された商品情報および与信希望の与信機関の選択入力を受付ける第１の手段と、購買者によって選択された商品の支払対価情報と購買者によって入力された個人情報とを購買者によって選択された与信機関の与信処理装置に対し送信する第２の手段とを備えることを特徴とする。
また、販売者装置から提示される商品を選択して販売者装置の運営者との間で商取引を行うための購買者端末装置であって、
前記販売者装置から提示された商品情報および与信希望の与信機関の選択入力を受付ける第１の手段と、購買者によって選択された商品の支払対価情報と購買者によって入力された個人情報並びに販売者装置から受信した販売者識別情報とを購買者によって選択された与信機関の与信処理装置に対して送信する第２の手段とを備えることを特徴とする。
【手続補正９】
【補正対象書類名】明細書
【補正対象項目名】００１４
【補正方法】変更
【補正の内容】
【００１４】
また、販売者装置から提示される商品を選択して販売者装置との間で商取引を行うための購買者端末装置であって、
前記販売者装置から提示された商品情報および与信希望の与信機関の選択入力を受付ける第１の手段と、購買者によって選択された商品の支払対価情報、販売者を特定する販売者識別情報および購買者が選択した与信機関との間で通信を行うための与信通信プログラムからなるオブジェクトを前記販売者装置から受信し、前記オブジェクト中の商品の支払対価情報および販売者識別情報を抽出して前記与信通信プログラムによって購買者によって選択された与信機関の与信処理装置に送信する第２の手段と、購買者によって入力された個人情報を購買者によって選択された与信機関の与信処理装置に送信する第３の手段とを備えることを特徴とする。
【手続補正１０】
【補正対象書類名】明細書
【補正対象項目名】００１５
【補正方法】変更
【補正の内容】
【００１５】
また、販売者装置から提示される商品を選択して販売者装置との間で商取引を行うための購買者端末装置であって、
前記販売者装置から提示された商品情報および与信希望の与信機関の選択入力を受付ける第１の手段と、購買者によって選択された商品の支払対価情報、販売者を特定する販売者識別情報および購買者によって選択された与信機関との間で通信を行うための与信通信プログラムからなるオブジェクトを前記販売者装置から受信し、前記オブジェクト中の商品の支払対価情報および販売者識別情報を抽出して購買者によって選択された与信機関の与信処理装置に前記与信通信プログラムによって送信する第２の手段と、購買者が入力した個人情報を購買者が選択した与信機関の与信処理装置に送信する第３の手段と、前記与信機関の与信処理結果を受けた販売者端末装置から取引成立通知または不成立通知を受信し、購買者に提示する第４の手段とを備えることを特徴とする。
【手続補正１１】
【補正対象書類名】明細書
【補正対象項目名】００１６
【補正方法】変更
【補正の内容】
【００１６】
また、購買者端末装置からの要求に応じて商品情報を送信し、購買者端末装置との間で商取引を行うための販売者装置であって、
購買者端末装置からの要求に応じて、商品情報および与信機関の情報を送信する第１の手段を備えることを特徴とする。
また、購買者端末装置からの要求に応じて商品情報を送信し、購買者端末装置との間で商取引を行うための販売者装置であって、
購買者端末装置からの要求に応じて、商品情報および与信機関の情報並びに販売者識別情報を送信する第１の手段を備えることを特徴とする。
また、購買者端末装置からの要求に応じて商品情報を送信し、購買者端末装置との間で商取引を行うための販売者装置であって、
購買者端末装置からの要求に応じて、商品情報および与信機関の情報を送信する第１の手段と、購買者によって選択された商品の支払対価情報、販売者装置を特定する販売者識別情報および購買者が選択した与信機関と通信を行うための与信通信プログラムとから成るオブジェクトを作成し、購買者装置に送信する第２の手段とを備えることを特徴とする。
また、購買者端末装置からの要求に応じて商品情報を送信し、購買者端末装置との間で商取引を行うための販売者装置であって、
購買者端末装置からの要求に応じて、商品情報および与信機関の情報を送信する第１の手段と、購買者によって選択された商品の支払対価情報、販売者装置を特定する販売者識別情報および購買者によって選択された与信機関と通信を行うための与信通信プログラムとから成るオブジェクトを作成し、購買者装置に送信する第２の手段と、前記購買者端末装置が前記オブジェクト中の商品の支払対価情報および販売者識別情報を前記与信通信プログラムによって前記与信処理装置に送信し、かつ購買者によって入力された個人情報を送信したことにより前記与信処理装置から送信される与信処理結果を受信し、その与信処理結果に応じて購買者端末装置に対して取引成立通知または取引不成立通知を送信する第３の手段とを備えることを特徴とする。
【手続補正１２】
【補正対象書類名】明細書
【補正対象項目名】００１７
【補正方法】変更
【補正の内容】
【００１７】
購買者端末装置と販売者装置との間で実施される商取引に係る購買者の与信処理を行う与信機関の与信処理装置であって、
前記購買者端末装置から購買者によって選択された商品の支払対価情報と購買者の個人情報を受信し、その受信情報に基づいて購買者の与信処理を行う第１の手段と、与信処理結果を商品販売元の販売者装置に送信する第２の手段とを備えることを特徴とする。
また、購買者端末装置と販売者装置との間で実施される商取引に係る購買者の与信処理を行う与信機関の与信処理装置であって、
前記購買者端末装置から購買者によって選択された商品の支払対価情報と購買者の個人情報並びに販売者装置を特定する販売者識別情報を受信し、受信した商品の支払対価情報と購買者の個人情報に基づいて購買者の与信処理を行う第１の手段と、与信処理結果を前記販売者識別情報により特定される商品販売元の販売者装置に送信する第２の手段とを備えることを特徴とする。